(57)【要約】      （修正有）【課題】容器をシュリンクフィルムでラップした場合でも水蒸気の排出が妨げられず、また、凝縮水が容器内に環流したとしても食味への影響が小さい電子レンジ対応の包装用容器を提供する。【解決手段】樹脂シート成形品である蓋体と容器本体とを備えた電子レンジ対応の包装用容器であって、前記蓋体は、その外周縁に前記容器本体の開口部１ａの内側に嵌合する断面凹状の嵌合凹部３を有し、該嵌合凹部は、その底部に前記電子レンジによる加熱によって生じた容器内の水蒸気を外部に排出する複数の通孔１６を有する。また、容器本体は、底面と、この底面の周囲から立ち上がる壁面５と、この壁面の上部に蓋体の嵌合凹部が嵌合する開口部とを有し、前記開口部は、前記壁面に対して外側に向けたフランジ部６と、前記フランジ部から上向きに延長して設けられる縦壁とを有し、前記嵌合凹部は、その底部と前記フランジ部との間に隙間を有して前記開口部に嵌合する。【選択図】図４
2019182523.tif 000002
【特許請求の範囲】
【請求項１】
樹脂シート成形品である蓋体と容器本体とを備えた電子レンジ対応の包装用容器であって、
前記蓋体は、
その外周縁に前記容器本体の開口部の内側に嵌合する断面凹状の嵌合凹部を有し、
該嵌合凹部には、
その底部に前記電子レンジによる加熱によって生じた容器内の水蒸気を外部に排出する複数の通孔を形成した、
ことを特徴とした包装用容器。
【請求項２】
容器本体は、
底面と、
この底面の周囲から立ち上がる壁面と、
この壁面の上部に開口部とを有し、
前記開口部は、
前記壁面に対して外側に向けられ、蓋体の嵌合凹部を嵌合したときに、前記嵌合凹部の底部との間に隙間を形成するフランジ部と、
前記フランジ部から上向きに延長され、その内側に前記嵌合凹部が嵌合する縦壁とを備える、
請求項１記載の包装用容器。
【請求項３】
嵌合凹部の底部は、
高低差を有する上げ底部と下げ底部とが流水勾配を有する傾斜部を介して交互に形成され、
少なくとも前記下げ底部に通孔を設けた、
請求項１または２記載の包装用容器。
【請求項４】
通孔は、
円形である、
請求項１、２または３記載の包装用容器。
【請求項５】
通孔は、
直径０．５〜１．２ｍｍの円形である、
請求項４記載の包装用容器。
【請求項６】
容器本体は、
底面の周縁に壁面と連続する凹溝部を有する、
請求項１から５のうち何れか一項記載の包装用容器。
【発明の詳細な説明】
【技術分野】
【０００１】
この発明は、容器本体に蓋体を内嵌合、または内外嵌合によって取り付ける樹脂シート成形品である包装用容器において、食品を温め直す際に生じる水蒸気を排出するようにした電子レンジ対応の包装用容器に関する。
【背景技術】
【０００２】
樹脂シート成形品である包装用容器には、蓋体に容器本体の開口部の外側に嵌合する外嵌合部を設けた外嵌合タイプと、蓋体に容器本体の開口部の内側に嵌合する内嵌合部を設けた内嵌合タイプとがある。また、内嵌合部と外嵌合部とを併有した内外嵌合タイプの包装用容器もある。なお、本願では、内嵌合タイプの包装用容器と内外嵌合タイプの包装用容器をまとめて「内嵌合タイプの包装用容器」という。
【０００３】
一般的に、内嵌合タイプの包装用容器は外嵌合タイプよりも密封性に優れ、汁気が多い食品に好適であるが、電子レンジで内容物の食品を温め直す際、水蒸気によって内圧が高まり、不用意に蓋体が外れるおそれがあったことから、蓋体に水蒸気を排気する穴を設けた電子レンジ対応の包装用容器が提案されている（特許文献１〜７）。
【先行技術文献】
【特許文献】
【０００４】
【特許文献１】特開２０１８−４７９５３号公報
【特許文献２】特開２０１８−２７８２０号公報
【特許文献３】特開２０１８−２４４７６号公報
【特許文献４】特開２０１８−２０８５１号公報
【特許文献５】特開２０１８−２０８５０号公報
【特許文献６】特開２０１７−１６５４８５号公報
【特許文献７】特開２０１７−８１５９９号公報
【発明の概要】
【発明が解決しようとする課題】
【０００５】
特許文献１〜７のうち、蓋体５０の天板５１全体を平坦面で構成し、当該天板５１に水蒸気の排気孔５２を設けたものは（図１５参照）、容器全体をシュリンクフィルムでラップすると排気孔が閉塞され、そのままの状態で電子レンジにかけると水蒸気の排出が妨げられる。
【０００６】
一方、天板５１の一部に凹部５３を設け、この凹部５３に排気孔５２を設けたもの（図１６参照）は、容器全体をシュリンクフィルムでラップしたとしても排気孔が閉塞されることはないが、排気した水蒸気は加熱終了後にシュリンクフィルムとの間で冷却され凝縮水となり天板凹部に溜まる。そして、天板凹部に溜まった凝縮水は排気孔から水滴となって容器本体内の食品に直接降りかかり、食味を損なうという問題がある。
【０００７】
本発明は上述した課題を解決するためになされたもので、その目的とするところは、容器をシュリンクフィルムでラップした場合でも水蒸気の排出が妨げられず、また、凝縮水が容器内に環流したとしても食味への影響が小さい電子レンジ対応の包装用容器を提供することである。
【課題を解決するための手段】
【０００８】
上述した目的を達成するために本発明では、樹脂シート成形品である蓋体と容器本体とを備えた電子レンジ対応の包装用容器であって、前記蓋体は、その外周縁に前記容器本体の開口部の内側に嵌合する断面凹状の嵌合凹部を有し、該嵌合凹部には、その底部に容器内の水蒸気を外部に排出する複数の通孔を形成するという手段を用いた。
【０００９】
当該手段によれば、容器全体をシュリンクフィルムでラップ（フルシュリンク包装）、または蓋体と容器本体とが重なる外周縁の嵌合部のみをシュリンクフィルムでラップ（サイドシュリンク包装）した場合でも、シュリンクフィルムで通孔は閉塞されず、そのままの状態で電子レンジにかけても効率よく水蒸気を排出することができる。
【００１０】
また、排出した水蒸気が冷やされ、その凝縮水が通孔から容器内に環流したとしても、当該凝縮水は容器本体の内壁面を伝い落ち、内容物の食品に直接降りかかることがないため、食味を損なわない。
【００１１】
本発明では、容器本体は、底面と、この底面の周囲から立ち上がる壁面と、この壁面の上部に開口部とを有し、前記開口部は、前記壁面に対して外側に向けられ、蓋体の嵌合凹部を上方から嵌合したときに、前記嵌合凹部の底部との間に隙間を形成するフランジ部と、前記フランジ部から上向きに延長され、その内側に前記嵌合凹部の外側が嵌合する縦壁とを備えるという手段を用いる。
【００１２】
この手段では、容器内の水蒸気は前記隙間を介して通孔から排出される。また、通孔から入り込む凝縮水はフランジ部から壁面の内面を伝うことで、より確実に食品に直接降りかかることを防止することができる。
【００１３】
また本発明では、嵌合凹部の底部は、高低差を有する上げ底部と下げ底部とが流水勾配を有する傾斜部を介して交互に形成され、少なくとも前記下げ底部に通孔を設けるという手段を用いる。
【００１４】
この手段では、上げ底部と下げ底部との高低差によって嵌合凹部に残留する凝縮水を確実に通孔へ導くことができる。したがって、蓋体を開ける際、嵌合凹部に残留する凝縮水によって手指が濡れることを回避することができる。
【００１５】
なお、通孔の形状は、多角形、楕円形、長円形、長孔形、円弧状形などがあるが、円形であることが好ましい。他の形状と比べて加工が容易だからである。また、孔の大きさ（円の直径）の調整も容易である。通孔の加工方法には、パンチ加工（トリミング加工）、レーザー照射加工、針穴加工などがあり、パンチ加工が比較的容易であるが、本発明は加工方法を限定するものではない。
【００１６】
また、円形とした場合の通孔は、直径０．５〜１．２ｍｍの範囲で加工することが好ましい。直径が０．５ｍｍに満たない微細孔であると水蒸気の排出効率が悪く、過剰に容器内圧が高まるおそれがあり、１．２ｍｍを超えると異物が混入しやすくなるからである。
【００１７】
さらに本発明では、容器本体は、底面の周縁に壁面と連続する凹溝部を有するという手段を用いる。この手段によれば、壁面を伝い落ちる凝縮水を凹溝部に貯留させることができ、より確実に食品の食味を損なうことを防止することができる。
【００１８】
なお、本発明は、内嵌合タイプの包装用容器に適用するが、嵌合凹部のさらに外縁に外嵌合部を有した内外嵌合タイプの包装用容器への適用も可能であり、この場合も内嵌合部である嵌合凹部の底部に通孔を設けることによって、上述した作用効果が得られる。
【発明の効果】
【００１９】
本発明によれば、蓋体の嵌合凹部の底部に水蒸気を排出する通孔を設けたので、容器をシュリンクフィルムでラップした場合でも水蒸気の排出が妨げられず、また、凝縮水が容器内に環流したとしても食味への影響をなくすことができた。
【００２０】
また、本発明では、蓋体の天板に水蒸気の排気孔を設けた従来容器のように蓋体の強度を低下させることがなく、さらに、内容物の視認性も高い。
【図面の簡単な説明】
【００２１】
【図１】本発明の第一実施形態に係る包装用容器の分解側面図
【図２】同、分解断面図
【図３】同、要部を拡大した分解断面図
【図４】同、要部を拡大した断面図
【図５】同、蓋体の平面図
【図６】同、蓋体の要部を拡大した平面図
【図７】通孔の変形例を示した要部拡大平面図
【図８】通孔のさらに他の変形例を示した説明図
【図９】本発明の第二実施形態に係る包装用容器の蓋体の説明図
【図１０】同、（ａ）図９のＡ−Ａ断面図、（ｂ）図９のＢ−Ｂ断面図
【図１１】本発明の第三実施形態に係る包装用容器の要部拡大分解断面図
【図１２】同、断面図
【図１３】本発明の第四実施形態に係る包装用容器の分解平面図
【図１４】同、断面図
【図１５】従来例を示す蓋体の説明図
【図１６】他の従来例を示す蓋体の説明図
【発明を実施するための形態】
【００２２】
以下、本発明の好ましい実施の形態を添付した図面に従って説明する。図１〜６は本発明の第一実施形態に係る包装用容器を示したもので、基本的な構成は、図１に示すように、容器本体１と蓋体２を備える。これら部材は、樹脂シートを成形してなり、蓋体２の外周縁には容器本体１の開口部１ａの内側に嵌合する断面凹状の嵌合凹部３を形成している。
【００２３】
この実施形態において容器本体１は、図２に示すように、底面４と、この底面の周囲から立ち上がる壁面５とを有し、さらに、この壁面の上部に蓋体２の嵌合凹部３が嵌合する開口部として、図３に示すように、壁面５に対して水平方向外向きにフランジ部６を形成すると共に、このフランジ部６から上向きに縦壁７を延長して設けている。縦壁７は若干内向きに傾斜する逆テーパ状として、蓋体２の嵌合凹部３を強く嵌合する構成としている。なお、８は、縦壁７の上縁に外向きに延長した最終フランジである。
【００２４】
これに対して、蓋体２は、天板９と、この天板９から下方に向けて形成した蓋壁１０とを備え、この蓋壁１０の下端周縁に嵌合凹部３を形成している。嵌合凹部３は、図３に示すように、蓋壁１０の下端に連続して形成した垂直な内壁１１と、この垂直壁１１から水平方向外向きに形成した底部１２と、この底部１２から上向きに外壁１３とを有している。より具体的には、外壁１３は容器本体１の縦壁７と対応する逆テーパ状に形成し、嵌合凹部３の深さは容器本体１の縦壁７の高さよりも若干浅くしている。このような構成の嵌合凹部３は、図４に示すように、外壁１３が容器本体１の縦壁７の内側に弾性的、且つ、摩擦的に係合して、開口部に強く嵌合すると共に、密封性を高めている。また、嵌合凹部３の底部１２と容器本体１のフランジ部６との間には隙間Ｃを有して嵌合している。なお、１４は外壁１３の上縁に上縁に外向きに延長した最終フランジであり、図５に示すように、その一部には摘み部１５を外向きに突設している。
【００２５】
そして、本発明の特徴点として、嵌合凹部３の底部１２には通孔１６を貫設している。この実施形態では、平面視円形の蓋体２に対して、図５に示すように、４５度ごとに合計８個の通孔１６を設けている。
【００２６】
当該構成の包装用容器によれば、容器本体１に食品を収容して蓋体２を内嵌合によって装着し、シュリンクフィルムＳＦでラップした場合、図４に示したように、通孔１６はシュリンクフィルムＳＦで閉塞されない。そして、この状態で、食品の温め直しのために本容器を電子レンジにかけると、加熱により生じた容器内の水蒸気は隙間Ｃに充満し、通孔１６を介して容器外に排出される。したがって、容器内の内圧が異常に高まることなく、蓋体２の意図しない開蓋は防止される。
【００２７】
その後、シュリンクフィルムＳＦを剥がし、蓋体２を開けて、温まった食品を食することができるのであるが、この間に、排出した水蒸気が冷却されて、その凝縮水が嵌合凹部３に溜まることがある。その量は食品の内容と加熱温度にもよるが、もし嵌合凹部３に凝縮水が溜まったとしても、通孔１６を介して容器内に環流させることができる。したがって、蓋体２を開ける際に、凝縮水で手指を濡らすといった不都合はない。
【００２８】
また、通孔１６から容器内に環流される凝縮水は、嵌合凹部３の底部１２と対向する容器本体１のフランジ部６に滴下し、次いで容器本体１の壁面５の内面を伝って底面４側に流れ落ちる。したがって、嵌合凹部３に溜まった凝縮水が容器内の食品に直接降りかかることはなく、食味に影響することもない。
【００２９】
なお、本実施形態では、容器本体１について、図２に示したように、底面４の周縁に壁面５と連続する凹溝部１７を形成している。この凹溝部１７は、外側は脚として機能する一方、内側の凹部は、上述した壁面５の内面を伝う凝縮水の貯留部として機能する。したがって、底面４上に載置している食品に対して凝縮水が接触することがなく、より確実に食味の劣化を防止することができる。
【００３０】
なお、通孔１６の大きさについては、水蒸気を排出することを最低条件として決定するが、その形成位置は嵌合凹部３の底部１２であるから、図６に示すように、底部１２の幅に収まる大きさとする必要がある。また、本実施形態では、８個の通孔１６を形成したが、その数を多くすれば、それだけ水蒸気の排出能力を高めることができることから、通孔１６の大きさは一義的に定めることはできない。
【００３１】
この点に関して一例を挙げると、通孔１６が円形（円孔）である場合は、直径０．５〜１．２ｍｍに設定する。最小の直径を０．５ｍｍとしたのは、これに満たない微細な円孔の場合、水蒸気の排出効率が悪く、加熱時に容器内の内圧が異常に高まる可能性があるからである。また、凝縮水の通水性も悪く、嵌合凹部３に溜まった凝縮水が容器内に環流することなく、開蓋時に手指や机を濡らしてしまうおそれもあるからである。一方、最大の直径を１．２ｍｍとしたのは、これよりも大きいと、異物混入の危険性が高まるからである。また、嵌合凹部３の強度にも影響し、せっかくの密封性が損なわれるおそれがあるからである。
【００３２】
通孔１６の形状については、円形に限らず、例えば、図７に示すように、長円形であってもよい。この場合は、円形の場合よりも開口面積が大きくなるが、短軸１６ａの寸法について、上述した０．５〜１．２ｍｍを適用することができる。
【００３３】
図８は、通孔１６として採用する形状の一覧を示したものであり、（ａ）円形、（ｂ）楕円形、（ｃ）円弧形、（ｄ）正六角形、（ｅ）正方形、（ｆ）長方形を示している。これら形状であれば、パンチ加工などによって比較的容易に通孔を形成することができるが、ここに例示した以外の形状であってもよいことはもちろんである。
【００３４】
次に、本発明の第二実施形態を図９・１０にしたがって説明すると、この実施形態では蓋体２について、嵌合凹部３の底部形状に特徴を有している。即ち、この実施形態において底部２０は、上げ底部２１と下げ底部２２とによる二段構成としている。これら上げ底部２１と下げ底部２２は、図９に示したように、流水勾配を有する傾斜部２３を介して交互に形成され、このうち下げ底部２２に対して、図１０に示したように、通孔１６を形成している。
【００３５】
この第二実施形態は、水蒸気の排出はもちろん、凝縮水をより確実に容器内に環流させることを目的として、上述した二段構成の底部２０を採用している。即ち、底部が全範囲でフラットであると、嵌合凹部に溜まった凝縮水は静水状態となり、通孔近くの凝縮水しか容器内に環流させることができないが、本実施形態では、底部２０が高低差を有する上げ底部２１と下げ底部２２とで構成され、しかも、これらが傾斜部２３を介してループ状に連続するため、嵌合凹部に溜まった凝縮水は低位な下げ底部２２へとスムーズに流れ、通孔１６から容器内に環流させることができる。
【００３６】
なお、第二実施形態において通孔１６は、下げ底部２２のみに設けたが、上げ底部２１にも設けることで、水蒸気の排出能力を高めることができる。
【００３７】
続いて、本発明の第三実施形態を図１１・１２に示す。この第三実施形態では、容器本体と蓋体の嵌合構造として内外嵌合を採用している。即ち、容器本体３０と蓋体３１のそれぞれには、上記実施形態と同様の内嵌合部を構成すると共に、各最終フランジの外縁に下向きに延長した外嵌合部３２・３３を構成している。
【００３８】
この実施形態における外嵌合部３２・３３は、それぞれ外側に突出する膨出部３４・３５に逆テーパ面３６・３７を有しており、強い外嵌合を実現している。
【００３９】
そして、この第三実施形態においても、蓋体３１の内嵌合部である嵌合凹部３８の底部３９に通孔１６を形成しており、加熱時の水蒸気を排出すると共に、凝縮水を容器内に環流することは上記第一・第二実施形態と共通する。
【００４０】
さらに、容器全体の形状については、図１３・１４に示す第四実施形態のように、蓋体４０と容器本体４１とも矩形状とすることができる。そして、蓋体４０の嵌合凹部４２の底部４３に通孔１６を複数形成することで、加熱時の水蒸気を排出すると共に、凝縮水を容器内に環流できることは上記第一〜第三実施形態となんら変わるところはない。
【符号の説明】
【００４１】
１  容器本体
１ａ  開口部
２  蓋体
３  嵌合凹部
４  底面
５  壁面
６  フランジ部
７  縦壁
９  天板
１０  蓋壁
１１  内壁
１２  底部
１３  外壁
１５  摘み部
１６  通孔
１７  凹溝部
Ｃ  隙間
ＳＦ  シュリンクフィルム
【図１】
2019182523.tif 000003
【図２】
2019182523.tif 000004
【図３】
2019182523.tif 000005
【図４】
2019182523.tif 000006
【図５】
2019182523.tif 000007
【図６】
2019182523.tif 000008
【図７】
2019182523.tif 000009
【図８】
2019182523.tif 000010
【図９】
2019182523.tif 000011
【図１０】
2019182523.tif 000012
【図１１】
2019182523.tif 000013
【図１２】
2019182523.tif 000014
【図１３】
2019182523.tif 000015
【図１４】
2019182523.tif 000016
【図１５】
2019182523.tif 000017
【図１６】
2019182523.tif 000018